(57)【要約】      （修正有）【課題】サンプル商品を展示するための設置場所、設置のための手数及び費用を減らし、便利で安価に入手できるサンプル品用のディスプレイを提供する。【解決手段】プライスカード支持桿１に支持された商品のプライス表示板２への連結部１３と、該連結部１３の近傍部に連接された左右の垂下腕１４，１４と、これら両垂下腕１４，１４の下端に連結された有底筒状のサンプル商品用保持体１５とを備える。また、連結部１３の上方に、プライスカード支持桿１への連結用小孔を形成した頂部１２を備える。【選択図】図２
0003159080.tif 000002
【実用新案登録請求の範囲】
【請求項１】
プライスカード支持桿(1)に支持されたプライス表示板(2)への連結部(13)と、
該連結部(13)の近傍部に連接された左右の垂下腕(14，14)と、
これら両垂下腕(14，14)の下端に連結された有底筒状のサンプル商品用保持体(15)とを備えたサンプル商品用ディスプレイ。
【請求項２】
プライスカード支持桿(1)への連結用小孔(11)を形成した頂部(12)と、
該プライスカード支持桿(1)に支持されたプライス表示板(2)への連結部(13)と、
該連結部(13)の近傍部に連接された左右の垂下腕(14，14)と、
これら両垂下腕(14，14)の下端に連結された有底筒状のサンプル商品用保持体(15)とを備えたサンプル商品用ディスプレイ。
【請求項３】
弾性を備えた一枚の合成樹脂シート素材(A)を所要形状に切断し、
サンプル商品用保持体(15)の筒状部形成部(16)の側縁部(17)と、底部形成部(18)の周縁部(19)とを、当該対応部分(17a，19a)に適宜の周知手段で熔着または接着形成したものである請求項１または２に記載のサンプル商品用ディスプレイ。
【考案の詳細な説明】
【技術分野】
【０００１】
本考案は、主として瓶詰め・樹脂容器詰め・樹脂チューブ詰め・小袋詰め等とした液状・ゾル状または粉状・粒状等の、化粧品や香料、口腔衛生品等の外用品や非飲食品類、コショウ、わさび、唐辛子その他の各種調味料類等の、少量使用商品に関するサンプル商品の容器類を載置保持するために使用するディスプレイに関するものである。
【背景技術】
【０００２】
従来この種の少量使用商品、ここにいう少量使用商品とは、例えば酒・醤油の一升瓶や２リットルパック商品のような嵩高で重量のある商品類を含まないことを意図した表現であって、本考案にいう商品は、例えば化粧品の場合、化粧液のような瓶容器入り商品のサンプル品の展示に際し、どのような肌触りか、薫りかなどを実際に手にとって試したり、確認してもらうための展示を行いたいと思っても、このようなサンプル容器を載置する場所がないというのが現状である。
【０００３】
例えば、後述する特許文献１，２に記載のように、需要者が購買しやすいように、商品を小袋詰めや少量包装容器に包装したものは、一般に種々の形態のものが知られており、これらの商品は、販売促進のために、目立ちやすいように多数個が近接配置されて販売されている。しかしながら、これらの商品の中身を確認するには、実際に購入するか、店舗関係者に会ってサンプル品を見せてもらって確認する以外に方法がない。
【０００４】
ただし、時には、販売商品の近くへサンプル商品を置くために、商品の外箱や皿状容器を置くための小区画を形成して展示してある場合もある。しかしながら、その大部分は、サンプル商品展示のため個々に特有の設置場所を形成する必要があった。
【先行技術文献】
【特許文献】
【０００５】
【特許文献１】特開２００７−２３０６５４号公報
【特許文献２】特開２００７−３１４２５１号公報
【考案の概要】
【考案が解決しようとする課題】
【０００６】
このように従来のこの種のサンプル品の展示には、場所と手数とそれなりの費用を必要とするものとなっていた。そのため、商品の購買者がサンプル品によって商品の内容を確認することが可能な商品数は限られたものとなっていた。
【０００７】
そこで、本考案は、このような従来のサンプル品展示のために必要となっていた占有場所や、設置のための手数や、それなりにかかっていた費用等の課題を根本的に解決する手段として、全く新規な思想に基づき、設置場所や設置のための手数を実質的に皆無に近いものとし、設置のための費用についても極めて低廉化が可能なサンプル品の展示手段をここに提案しようとするものである。
また、商品を取り出す際にサンプル品が邪魔にならず、それでいて商品に接近した位置にサンプル品を展示させることができ、しかも展示されたサンプル品を取り出しやすく、かつ、戻しやすくする展示手段を提案するものである。
【課題を解決するための手段】
【０００８】
該目的を達成するために講じた本考案の請求項１に記載のサンプル商品用ディスプレイの構成は、プライスカード支持桿１に支持されたプライス表示板２への連結部１３と、該連結部１３の近傍部に連接された左右の垂下腕１４，１４と、これら両垂下腕１４，１４の下端に連結された有底筒状のサンプル商品用保持体１５とを備えた構成としたものである。
【０００９】
同請求項２に記載のサンプル商品用ディスプレイの構成は、プライスカード支持桿１への連結用小孔１１を形成した頂部１２と、該プライスカード支持桿１に支持されたプライス表示板２への連結部１３と、該連結部１３の近傍部に連接された左右の垂下腕１４，１４と、これら両垂下腕１４，１４の下端に連結された有底筒状のサンプル商品用保持体１５とを備えた構成としたものである。
【００１０】
また、同請求項３に記載のサンプル商品用ディスプレイの構成は、請求項１または２の構成に従属する構成であって、弾性を備えた一枚の合成樹脂シート素材Ａを所要形状に切断し、サンプル商品用保持体１５の筒状部形成部１６の側縁部１７と、底部形成部１８の周縁部１９とを、当該対応部分１７ａ，１９ａに適宜の周知手段で熔着または接着形成した構成としたものである。
【考案の効果】
【００１１】
本考案の請求項１にいうところのサンプル商品用ディスプレイは、プライス表示板への連結部と、この連結部の近傍部に連接された左右の垂下腕と、これらの両垂下腕の下端に連結された有底筒状のサンプル商品用保持体とを備えた構成としたものであるから、プライス表示板への連結部をプライス表示板へ差し込むなり、貼着するなりといった作業を行うだけで垂下腕を介して商品用保持体をプライス表示板の前方や下方に形成できるので、サンプル商品用保持体を設置するために、その所要面積を充たす平面的な場所を必要とせず、商品用保持体の設置にかかる時間と手数を実質的に皆無に近いものとでき、設置のための費用についても極めて低廉化できるという優れた効果がある。
しかも、商品の前に突き出すようにしてサンプル品を展示させることができるため、サンプル品の設置場所を商品に接近した位置に確保することができ、展示されたサンプル品についても取り出しやすく、かつ、戻しやすくするという効果をも有する。
【００１２】
続く請求項２に記載のサンプル商品用ディスプレイは、前記請求項１に記載のサンプル商品用ディスプレイに加えて、プライスカード支持桿への連結用小孔を形成した頂部を、プライス表示板への連結部の上方に連接形成してある構成としてあるので、連結用小孔を利用してプライスカード支持桿に頂部を連結することができ、この小孔部分と前記プライス表示板への連結部との２カ所でプライスカード支持桿に連結させることが可能となり、前記請求項１に記載のディスプレイと比較したとき、支持桿に対するディスプレイの連結をより一層安定させることができるという効果を有する。
【００１３】
また、請求項３に記載のサンプル商品用ディスプレイは、弾性を備えた一枚の合成樹脂シート素材を所要形状に切断して、完成品を成形するときに、商品保持体の筒状部を形成する部分の側縁部と、底部を形成する部分の周縁部とにおいて、それぞれの部分が対応する箇所を、例えば高周波スポット熔着手段やホットメルト接着手段のような適宜の周知手段で接着させればよいので、迅速かつ極めて廉価に形成できる効果を有する。
【図面の簡単な説明】
【００１４】
【図１】本考案の第１実施例のディスプレイを示す斜視図。
【図２】商品保持体への取り付け状態を示す斜視図。
【図３】商品保持体への取り付け手段を説明する斜視図。
【図４】商品保持体への取り付け途中の状態を示す斜視図。
【図５】同ディスプレイの未成形状態を示す平面図。
【図６】商品保持体への他の取り付け手段を説明する斜視図。
【図７】第２実施例のディスプレイを示す斜視図。
【図８】同ディスプレイの未成形状態を示す平面図。
【考案を実施するための形態】
【実施例１】
【００１５】
以下添付の図面に基づいて本考案にいうサンプル商品用ディスプレイＤの第１実施例について説明する。該実施例に示したディスプレイＤは、図２に示したように、商品購買者からみて奥側に形成された適宜形状のフック係止体４を介して、前後方向に向けて水平姿勢に突出された横桿状の商品吊り下げフック３の上方に、このフック３と平行して配置され、その前端側に平板状に形成されたプライス表示板２を備えたプライスカード支持桿１を対象として、該カード支持桿１に取り付けて使用されるものである。
【００１６】
該実施例に示したディスプレイＤは、図１〜４に示したように、上部に、前記プライスカード支持桿１の途中部分に切り込み１１ａを連結するための切り込み１１ａを備えた連結用小孔１１を形成した頂部１２を備え、その下側部分に、プライスカード支持桿１に支持された前記プライス表示板２の隙間に差し込んで連結するための連結部１３を備えたものとし、この連結部１３の下方に、プライス確認用窓Ｗとしての切り抜き窓を形成してあり、その幅方向の両側に位置するように連結部１３の側方部分から左右２本の帯状の垂下腕１４，１４を延接させてあり、これらの両垂下腕１４，１４の下端側に、商品保持体１５の筒状部を形成する部分１６と、底部を形成する部分１８とを連接させてある（図５参照）。本実施例にいう前記のプライス確認用窓Ｗは特別に形成する必要はなく、前記連結部１３を切り抜いた残余の空間であってもよい。
【００１７】
而して、この商品保持体１５は、図５に示したように、筒状部を形成する部分１６の側方に、連結用の側縁部１７を突出させ、底部を形成する部分１８の下部に連結用の周縁部１９を突出させてあるものとし、これらの部分を鎖線で示したように折り曲げて、筒状部形成部分１６に２点鎖線で示したように、これらの対応部分１７ａ，１９ａに、適宜の周知の接着手段、ここでは高周波スポット熔着によって、熔着させて有底筒状に形成したものである。この素材としては、適宜の弾性を備えた一枚の合成樹脂シート素材Ａを図示の形状に切り抜き切断して形成する。
【００１８】
この実施例に示したディスプレイＤは、図６に示したように、前記プライス表示板２が前記連結部１３を差し込む隙間を備えていないもの、例えば単純な平板状の物である場合には、その背面側に当てつけて、両面接着テープを使用したり、適宜の接着剤の塗布によって取り付けることも可能である。
【００１９】
図７及び図８に示した第２実施例のディスプレイＤは、前記第１実施例に示したディスプレイＤにおける上端部に連接してある連結用小孔１１を備えた頂部１２を有していない構造とし、舌片状とした連結部１３によって、プライス表示板２に取り付けるようにしたものである。その他の点は、前記第１実施例に準ずるので、詳細説明は省略する。
【００２０】
以上本考案の代表的と思われる実施例について説明したが、本考案はこの実施例のもののみに限定されるものではなく、本考案の構成要件を充足し、目的を達成し、効果を有する範囲内において、適宜に改変して実施することができるものである。
【産業上の利用可能性】
【００２１】
本考案いうところのディスプレイＤは、プライスカード支持桿１に支持された商品のプライス表示板２への連結部１３と、該連結部１３の近傍部に連接された左右の垂下腕１４，１４と、これら両垂下腕１４，１４の下端に連結された有底筒状のサンプル商品用保持体１５とを備えた構成としたものであるため、設置場所や設置のための手数を実質的に皆無に近いものとし、設置のための費用についても極めて低廉化が可能なディスプレイであるので、この技術が市場に公開されることによって、世上では重宝に使用される可能性が大なるものである。
【符号の説明】
【００２２】
１  プライスカード支持桿
２  プライス表示板
１１  小孔
１２  頂部
１３  連結部
１４  垂下腕
１５  サンプル商品用保持体
１６  筒状部形成部
１７  筒状部形成部の側縁部
１７ａ  対応部分
１８  底部形成部
１９  底部形成部の周縁部
１９ａ  対応部分
Ａ  合成樹脂シート素材
【図１】
0003159080.tif 000003
【図２】
0003159080.tif 000004
【図３】
0003159080.tif 000005
【図４】
0003159080.tif 000006
【図５】
0003159080.tif 000007
【図６】
0003159080.tif 000008
【図７】
0003159080.tif 000009
【図８】
0003159080.tif 000010